(57)【特許請求の範囲】
【請求項１】
遊技球を貯留する上皿および下皿と遊技機本体から前面側に突出して設けられた前記上皿および前記下皿を含む突出部とを備えたパチンコ遊技機であって、
前記突出部の前面側の下部には、前記突出部の下方に置かれた前記下皿から排出された遊技球を収納する賞球箱と前記突出部との間に、遊技者が手を挿入するための空間を確保する切り欠きが設けられ、
前記切り欠きの表面に、前記下皿から排出された遊技球を前記賞球箱に排出するための第２排出口が設けられる、パチンコ遊技機。
【請求項２】
前記下皿は、前記遊技機の左右方向に関して所定位置に設けられ、
前記切り欠きは、前記遊技機の左右方向に関して前記所定位置からずれた位置に設けられ、
前記突出部には、
前記下皿に貯留された遊技球を当該下皿から排出するための第１排出口と、
前記第１排出口から排出された遊技球を前記賞球箱に排出するための前記第２排出口と、
前記第１排出口から排出された遊技球を前記第２排出口に導く導通路と、
前記下皿に貯留された遊技球を前記賞球箱に排出させるための球排出ボタンとが設けられ、
前記第２排出口は、前記切り欠きが設けられた位置に配置される、請求項１に記載のパチンコ遊技機。
【請求項３】
前記下皿は、前記遊技機の左右方向に関して中央よりも左側または右側に設けられ、
前記切り欠きは、前記遊技機の左右方向に関して中央に設けられ、
前記球排出ボタンは、前記遊技機の左右方向に関して中央に設けられ、
前記第２排出口は、前記遊技機の左右方向に関して、略中央であって、前記下皿と前記球排出ボタンとの間に設けられる、請求項２に記載のパチンコ遊技機。
【請求項４】
前記下皿は、前記遊技機の左右方向に関して中央よりも左側に設けられ、
前記第２排出口は、前記下皿よりも右側、かつ、前記球排出ボタンよりも左側に設けられる、請求項３に記載のパチンコ遊技機。
【請求項５】
前記球排出ボタンは、前記切り欠きの上端に設けられる、請求項２から４の何れかに記載のパチンコ遊技機。
【請求項６】
遊技者からの入力を受け付けるための所定方向に可動する演出ボタンをさらに備え、
前記突出部には、前記演出ボタンを含むボタンユニットが収納され、
前記切り欠きは、前記突出部に、遊技者側から遊技機本体に向かって下降する傾斜部が形成されることによって設けられ、
前記演出ボタンは、当該演出ボタンの可動方向が前記切り欠きの傾斜と略平行になるように、設けられる、請求項１から５の何れかに記載のパチンコ遊技機。
【発明の詳細な説明】
【技術分野】
【０００１】
本発明は、この発明は、遊技球を貯留する下皿を備えるパチンコ遊技機に関する。
【背景技術】
【０００２】
近年、パチンコ遊技の高度化および多様化が急速に進行しており、これに付随してパチンコ遊技機自体も多様な装飾が施されたり、演出のための種々の部材を備えたりしている。例えば、パチンコ遊技機の上皿や下皿を含む枠部材には多様な装飾が施されたり、演出に用いられるボタン等が配設されたりする。
【先行技術文献】
【特許文献】
【０００３】
【特許文献１】特開平１０−９４６５３号公報
【発明の概要】
【発明が解決しようとする課題】
【０００４】
ところで、下皿は、遊技球を一時的に貯留するための受け皿であるが、当該下皿が遊技球で満杯になった場合は、遊技者が下皿に設けられた球抜きボタンを操作して、当該遊技球を下皿の下に置かれた賞球箱へ落下させることができるようになっている。
【０００５】
しかし、遊技機の枠部材のうち下皿および上皿を含む遊技者側に突出する部分（以下、突出部と称する）に多様な装飾が施されたり演出のための部材が備えられたりすると、当該突出部が重厚化、大型化される。従って、当該突出部は遊技者に向けて大きく張り出した形状になるとともに、当該突出部の下端が、従来の遊技機の突出部等よりも下に位置することになる。このような場合、突出部等と賞球箱との間隔が狭く、遊技者は、当該間隔に手を挿入することができないため、賞球箱内の遊技球の偏在を修正し難い。
【０００６】
それゆえ、本発明の目的は、遊技者が賞球箱内の遊技球の偏在を容易に修正することができるパチンコ遊技機を提供することを目的とする。
【課題を解決するための手段】
【０００７】
上記目的を達成するために、本発明は、以下に述べる特徴を有する。
【０００８】
本発明は、遊技球を貯留する上皿および下皿と遊技機本体から前面側に突出して設けられた前記上皿および前記下皿を含む突出部とを備えたパチンコ遊技機であって、前記突出部の前面側の下部には、前記突出部の下方に置かれた前記下皿から排出された遊技球を収納する賞球箱と前記突出部との間に、遊技者が手を挿入するための空間を確保する切り欠きが設けられる。
【０００９】
また、本発明では、前記下皿は、前記遊技機の左右方向に関して所定位置に設けられ、前記切り欠きは、前記遊技機の左右方向に関して前記所定位置からずれた位置に設けられ、前記突出部には、前記下皿に貯留された遊技球を当該下皿から排出するための第１排出口と、前記第１排出口から排出された遊技球を前記賞球箱に排出するための第２排出口と、前記第１排出口から排出された遊技球を前記第２排出口に導く導通路と、前記下皿に貯留された遊技球を前記賞球箱に排出させるための球排出ボタンとが設けられ、前記第２排出口は、前記切り欠きが設けられた位置に配置されてもよい。
【００１０】
また、本発明では、前記下皿は、前記遊技機の左右方向に関して中央よりも左側または右側に設けられ、前記切り欠きは、前記遊技機の左右方向に関して中央に設けられ、前記球排出ボタンは、前記遊技機の左右方向に関して中央に設けられ、前記第２排出口は、前記遊技機の左右方向に関して、略中央であって、前記下皿と前記球排出ボタンとの間に設けられてもよい。
【００１１】
また、本発明では、前記下皿は、前記遊技機の左右方向に関して中央よりも左側に設けられ、前記球排出ボタンは、前記遊技機の左右方向に関して中央に設けられ、前記第２排出口は、前記下皿よりも右側、かつ、前記球排出ボタンよりも左側に設けられてもよい。
【００１２】
また、本発明では、前記球排出ボタンは、前記切り欠きの上端に設けられてもよい。
【００１３】
また、本発明では、遊技者からの入力を受け付けるための所定方向に可動する演出ボタンをさらに備え、前記突出部には、前記演出ボタンを含むボタンユニットが収納され、前記切り欠きは、前記突出部に、遊技者側から遊技機本体に向かって下降する傾斜部が形成されることによって設けられ、前記演出ボタンは、当該演出ボタンの可動方向が前記切り欠きの傾斜と略平行になるように、設けられてもよい。
【発明の効果】
【００１４】
本発明によれば、遊技者は、賞球箱内の遊技球の偏在を容易に修正することができる。
【図面の簡単な説明】
【００１５】
【図１】本発明の実施形態に係るパチンコ遊技機１の概略正面図
【図２】パチンコ遊技機１の枠部材３の斜視図
【図３】演出ボタン３６が飛び出していない状態におけるボタンユニット３６０の上面側を示す斜視図
【図４】演出ボタン３６が飛び出した状態におけるボタンユニット３６０の上面側を示す斜視図
【図５】突出部４のうちの下皿４１を含む部分を示す図
【図６】突出部４の一部を下面側から見た図
【図７】演出ボタン３６を含む突出部４の一部の断面図
【発明を実施するための形態】
【００１６】
以下、適宜図面を参照しつつ、本発明の遊技機の一実施形態に係るパチンコ遊技機１について説明する。
【００１７】
［パチンコ遊技機１の概略構成］
まず、パチンコ遊技機１の概略構成について説明する。図１は、本発明の一実施形態に係るパチンコ遊技機１の概略正面図である。本実施形態に係るパチンコ遊技機１は、遊技球が打ち出される遊技盤２と、遊技盤２を囲む枠部材３とを備えている。枠部材３は、遊技盤２の表面側（図１の紙面手前側）に遊技盤２と所定の間隔を隔てて平行に配置された透明なガラス板（不図示）を支持する部材であり、遊技盤２に対して開閉可能に構成されている。
【００１８】
枠部材３に支持されたガラス板と遊技盤２との間には、遊技球が移動する遊技領域２０が形成されている。遊技者がハンドル３１を握ってレバー３２を時計方向へ回転させると、上皿３７に溜められた遊技球が不図示の発射装置へ供給されて、ハンドル３１の回転角度に応じた打球力で発射装置から遊技球が発射される。発射された遊技球は、不図示のガイド部材によって遊技領域２０の上部位置へ案内され、遊技領域２０に配置された不図示の遊技クギや風車等に接触することでその移動方向を変化させながら遊技盤２の表面に沿って落下する。
【００１９】
遊技領域２０には、入賞や抽選に関する役物として、第１始動口２０１、第２始動口２０２、大入賞口２０３、普通入賞口２０４、およびゲート２０５が設けられている。また、遊技領域２０における大入賞口２０３の下方には、始動口２０１、２０２、又は入賞口２０３、２０４に入らなかった遊技球を遊技領域２０の外へ排出する排出口２０６が設けられている。
【００２０】
第１始動口２０１および第２始動口２０２は、第１始動口２０１を第２始動口２０２の上側として所定の間隔を隔てて上下に並んで配置されている。パチンコ遊技機１では、第１始動口２０１又は第２始動口２０２に遊技球が入賞することで、上皿３７に遊技球が払い出されると共に大当たり抽選が実行される。なお、以下の説明では、第１始動口２０１への遊技球の入賞を契機として実行される大当たり抽選を「第１特別図柄抽選」と呼び、第２始動口２０２への遊技球の入賞を契機として実行される大当たり抽選を「第２特別図柄抽選」と呼び、これらの抽選を総称して「特別図柄抽選」と呼ぶものとする。
【００２１】
第１始動口２０１と第２始動口２０２との間には、チューリップの花を模した一対の羽根部材を有する電動チューリップ２０７が配置されている。電動チューリップ２０７は、一対の羽根部材が閉じた閉姿勢（図１参照）と、一対の羽根部材が開いた開姿勢（不図示）との間で姿勢変化可能に構成されており、不図示の電動ソレノイドが作動することによって閉姿勢から開姿勢に姿勢変化する。
【００２２】
電動チューリップ２０７の一対の羽根部材が閉姿勢の状態では、第１始動口２０１を構成する部材および電動チューリップ２０７によって第２始動口２０２への遊技球の進入経路が塞がれており、遊技球が第２始動口２０２へ入ることはない。これに対して、遊技球がゲート２０５を通過すると、普通図柄抽選（電動チューリップ２０７の開閉抽選）が実行され、この普通図柄抽選に当選すると、電動チューリップ２０７の一対の羽根部材が規定時間だけ開姿勢を維持した後に閉姿勢に戻る動作が規定回数行われる。このように、普通図柄抽選に当選することで、第２始動口２０２への遊技球の進入経路が開放されて、遊技球が第２始動口２０２に入賞可能となる。すなわち、第２特別図柄抽選の実行が可能な状態となる。ちなみに、普通入賞口２０４に遊技球が入賞した場合には抽選は実行されないが、第１始動口２０１や第２始動口２０２に遊技球が入賞した場合よりも多い遊技球が上皿３７に払い出される。
【００２３】
大入賞口２０３は、特別図柄抽選の結果に応じて開放される。大入賞口２０３の開口部には、大入賞口２０３を開閉するプレートが配置されている。特別図柄抽選に当選していない状態では、このプレートが遊技盤２の表面と同一平面を形成する姿勢となっているために、大入賞口２０３に遊技球が入らない状態となっている。これに対して、特別図柄抽選に当選すると、プレートの下端側を軸としてプレートの上端側が遊技盤２の前方へ傾倒して大入賞口２０３が開放され、遊技者が多量の遊技球を得ることが可能な大当たり遊技を楽しむことができる。
【００２４】
遊技盤２の表面における遊技者により視認され易い位置に、各種演出のための画像を表示する画像表示器として機能する液晶表示器２０８が設けられている。液晶表示器２０８には、例えば、特別図柄抽選の結果を報知するための装飾図柄、予告演出を行うキャラクタやアイテム、特別図柄抽選が保留されていることを示す保留表示画像等の各種表示オブジェクトが表示される。
【００２５】
液晶表示器２０８の上方に盤ランプ２０９が設けられている。盤ランプ２０９は、遊技者による遊技の進行に応じて発光することによって光による各種の演出を行う。液晶表示器２０８の側方に可動役物２１０が配置されている。可動役物２１０は、遊技盤２に対して可動に構成されており、例えば内蔵された発光素子を発光させながら回動することによって各種の演出を行う。
【００２６】
上皿３７と近接する位置に、演出ボタン３６が設けられている。演出ボタン３６は、遊技者が操作情報を入力するための操作手段として機能するものである。図には示されていないが、パチンコ遊技機１では、演出ボタン３６の操作を促す画像が液晶表示器２０８に表示されると、演出ボタン３６の内部に配設されたＬＥＤが発光することにより、演出ボタン３６全体が発光する。これに対して、遊技者が演出ボタン３６を操作（例えば連打）することで、例えば液晶表示器２０８に表示されている演出画像の切り替えが行われる。
【００２７】
スピーカ３３は、楽曲や音声、効果音等を出力して音による演出を行う。枠ランプ３４は、点灯又は点滅のパターンの変更、発光色の変更、光の照射方向の変更等の光による各種の演出を行う。
【００２８】
表示器２１１は、上述した特別図柄抽選と普通図柄抽選の結果やこれらの抽選の保留数、パチンコ遊技機１の遊技状態等の情報を表示するものである。なお、この表示器２１１は、本発明とは直接関係しないので、ここではその詳細な説明は省略する。
【００２９】
上皿３７は、遊技球が入賞することによって払い出された遊技球を受け入れ、貯留する。上皿３７が遊技球で満杯となった場合は、遊技球の払い出し通路が変更され、若しくは遊技者が上皿３７と近接する位置に設けられている取り出しボタン３５を操作することにより、上皿３７の下面の一部が開口され、遊技球は、遊技機本体の内部に設けられた球通路（図示せず）を介して余剰球口３８から下皿４１に払い出される。
【００３０】
［下皿の構成］
以下、本実施形態に係るパチンコ遊技機の下皿４１およびその周辺について、図２〜図７を参照しつつ説明する。
【００３１】
図２は、パチンコ遊技機１の枠部材３の斜視図である。図３は、演出ボタン３６が飛び出していない状態におけるボタンユニット３６０の上面側を示す斜視図である。図４は、演出ボタン３６が飛び出した状態におけるボタンユニット３６０の上面側を示す斜視図である。
【００３２】
図２に示すように、枠部材３は、遊技機本体から前面に突出する突出部４を有する。枠部材３の突出部４は、上記演出ボタン３６、上皿３７、下皿４１、球排出ボタン４４等を含む。具体的には、突出部４は、演出ボタン３６を含むボタンユニット３６０をその内部に収納し、突出部４の上面に設けられた開口部から演出ボタン３６が露出される。
【００３３】
図３および図４に示すように、ボタンユニット３６０は、演出ボタン３６と、カバー３６１とを含む。演出ボタン３６は、円筒形状のカバー３６１に収納される。演出ボタン３６は、遊技者によって押下される押ボタンとして機能するものである。図３に示すように、演出ボタン３６は、所定の演出が行われない間はカバー３６１に収納され、所定の演出が行われる場合には、図４に示すように、カバー３６１から飛び出すように構成される。飛び出された演出ボタン３６が遊技者によって押されると、所定の演出が行われる。詳述はしないが、カバー３６１の内部には、演出ボタン３６を上方に付勢するコイルバネ等の付勢部材や、演出を制御するための演出制御部（図示せず）からの信号に応じて発光するＬＥＤ等が収納される。
【００３４】
図５は突出部４のうちの下皿４１を含む部分を示す図であり、図６は突出部４の一部を下面側から見た図であり、図７は演出ボタン３６を含む突出部４の一部の断面図である。図５および図６に示すように、突出部４は、下皿４１、余剰球口３８、第１排出口４２、導通路４３、球排出ボタン４４、および、第２排出口４５を含む。
【００３５】
下皿４１は、枠部材３（遊技機１）の左右方向に関して中央よりも左側に配設される。下皿４１は、例えば特別図柄抽選の結果が大当たりとなって遊技領域に打ち出された遊技球が大入賞口２０３に入賞した場合に、余剰球口３８から払い出された遊技球（賞球）を貯留する。下皿４１が遊技球で満杯となった場合、遊技者が当該突出部４の左右中央部分の前面に設けられた球排出ボタン４４を操作することにより、第２排出口４５を開閉するためのシャッターが開かれる。すると、遊技球は、下皿４１の第１排出口４２から排出されて、導通路４３を通り、第２排出口４５から排出される。当該第２排出口４５から排出された遊技球は、突出部４の下方に置かれた賞球箱５に貯められる。
【００３６】
より具体的には、図５に示すように、下皿４１の内壁の右側に設けられた第１排出口４２から遊技球が排出される。導通路４３は、当該第１排出口４２から排出された遊技球を枠部材３の突出部４の下面に設けられた第２排出口４５（図６参照）へと導く。そして、遊技球は、当該第２排出口４５から排出されて、突出部４の下方に置かれた賞球箱５に貯められる。第２排出口４５は、枠部材３の左右方向に関して略中央に設けられる。より具体的には、第２排出口４５は、枠部材３の左右方向に関して略中央であって、かつ、枠部材３の左右方向に関して中央に設けられた球排出ボタン４４よりも左側に設けられる。
【００３７】
本実施形態に係るパチンコ遊技機１の突出部４の左右中央部分には、図５〜図７に示すように、切り欠き４６が設けられている。当該切り欠き４６は、突出部４（遊技機１）の左右中央部分に、遊技者側から遊技機本体に向かって下降する傾斜面４７を形成することにより設けられている。突出部４に切り欠き４６を設けることにより、導通路４３を通って第２排出口４５から賞球箱５に落とされた遊技球が当該第２排出口４５付近で山状に遍在した場合に、遊技者が突出部４と賞球箱５との間に手を挿入し、当該偏在を修正するための空間を確保している。
【００３８】
また、本実施形態に係るパチンコ遊技機１は、下皿４１を、パチンコ遊技機１の左右中央よりも左側に設けている。このため、パチンコ遊技機１に大型の演出ボタン３６を設けても、当該演出ボタン３６を含むボタンユニット３６０が下皿４１等に干渉しない。すなわち、上記演出ボタン３６は、ボタンユニット３６０から飛び出すような構造であるため、ボタンユニット３６０は上下（高さ）方向の長さ（円柱の中心軸方向の長さ）を十分に確保する必要がある。このようなボタンユニット３６０を突出部４の中央部分に収納して、当該ボタンユニット３６０の下側に下皿を設けると、下皿とボタンユニット３６０とが干渉してしまうことがある。しかしながら、本実施形態に係るパチンコ遊技機１では、演出ボタン３６はパチンコ遊技機１の左右中央に設けられ、下皿４１はパチンコ遊技機１の左右中央よりも左側に設けられる。このため、下皿４１とボタンユニット３６０とが干渉しない。これにより、演出ボタン３６を設けても下皿４１の容量を十分確保することができ、演出ボタン３６およびそれを含むボタンユニット３６０を大型化することができる。このため、より演出効果の高い演出ボタン３６を設けつつ、十分な容量を有する下皿４１を設けることができる。
【００３９】
また、図７に示すように、切り欠き４６を形成する傾斜面４７は、遊技者側から遊技機本体に向かって斜め下方に傾斜している。また、演出ボタン３６の可動方向（円柱の中心軸方向）は、垂直方向ではなく、斜めに傾斜している。具体的には、図７に示すように、演出ボタン３６の可動方向が傾斜面４７の傾斜角と略平行になるように、ボタンユニット３６０が突出部４に収納される。
【００４０】
演出ボタン３６を略垂直に設けた場合や傾斜面４７の傾斜を図７よりも水平に近くなるようにした場合、演出ボタンを含むボタンユニット３６０の下方にスペースが確保できなかったり、ボタンユニット３６０が上記傾斜面４７に干渉したりする。このため、ボタンユニット３６０と遊技機本体に設けられた演出ボタン３６の動作を制御するための制御部とを電気的に接続するための配線や、その他の部品等を当該ボタンユニット３６０の下方に配置することができず、設計上の制約となったり、演出ボタン３６を大きく飛び出させるためのストロークを確保することができなかったりする。しかしながら、本実施形態に係るパチンコ遊技機１によれば、演出ボタン３６の可動方向が突出部４に設けた傾斜面４７の傾斜と略平行になるように、演出ボタン３６が設けられる。これにより、演出ボタン３６が飛び出すストロークをより長く設けることができる。このため、より演出効果の高いパチンコ遊技機１を構成することができ、また、パチンコ遊技機１の設計上の自由度を向上させることができる。
【００４１】
また、本実施形態では、下皿４１は遊技機１の左右方向に関して左側に設けられ、切り欠き４６は中央部分に設けられる。また、球排出ボタン４４は、遊技機１の左右中央部分の前面（すなわち、切り欠き４６の上端）に設けられる。さらに、突出部４の下面に設けられた遊技球を排出するための第２排出口４５は、遊技機１の左右方向に関して、下皿４１よりも右側であって、球排出ボタン４４よりも左側に設けられる。これにより、遊技者は、下皿４１から排出されて賞球箱５に山状にたまった遊技球をならし易くなる。すなわち、遊技球が下皿４１から賞球箱５に排出される場合、遊技球は導通路４３を通って第２排出口４５から排出されるため、第２排出口４５の真下よりも僅かに右側に落下して、第２排出口４５の真下よりも僅かに右側にたまる傾向がある。従って、遊技球は、突出部４の下方に配置された賞球箱５のうち、球排出ボタン４４のほぼ真下に山状にたまっていく。このため、遊技者は、球排出ボタン４４を押して、当該球排出ボタン４４の真下の切り欠き４６から手を挿入し、球排出ボタン４４のほぼ真下に形成された山状の遊技球をならし易い。
【００４２】
また、球排出ボタン４４は、切り欠き４６の上端に設けられるため、遊技者は当該球排出ボタン４４を押し易くなるとともに、賞球箱５にたまった遊技球をならし易くなる。すなわち、遊技者は、切り欠き４６の手を挿入しつつ、球排出ボタン４４を押すことができ、切り欠き４６の下方にたまった遊技球をならし易い。
【００４３】
なお、本実施形態では、下皿４１を遊技機本体の左側に配置し、切り欠き４６および球排出ボタン４４を中央部分に配置した。他の実施形態では、下皿４１は右側に設けられてもよい。この場合、第２排出口４５は、左右中央よりも僅かに右側に設けられてもよい。
【００４４】
また、下皿４１、切り欠き４６、球排出ボタン４４、および、第２排出口４５の位置は上述したものに限らず、どのようなものであってもよい。
【００４５】
以上のように、本発明においては、以下の構成を採用してもよい。
【００４６】
第１の構成では、遊技球を貯留する上皿および下皿（４１）と遊技機本体から前面側に突出して設けられた前記上皿および前記下皿を含む突出部（４）とを備えたパチンコ遊技機（１）であって、前記突出部の前面側の下部には、前記突出部の下方に置かれた前記下皿から排出された遊技球を収納する賞球箱（５）と前記突出部との間に、遊技者が手を挿入するための空間を確保する切り欠き（４６）が設けられる。
【００４７】
この構成によれば、突出部４に切り欠き４６が設けられることによって、空間が形成される。これにより、遊技者は、突出部４の下方に設けられた賞球箱５と突出部４との間に手を挿入することができ、賞球箱５にたまった遊技球をならし易くなる。
【００４８】
第２の構成では、前記下皿は、前記遊技機の左右方向に関して所定位置に設けられ、前記切り欠きは、前記遊技機の左右方向に関して前記所定位置からずれた位置に設けられ、前記突出部には、前記下皿に貯留された遊技球を当該下皿から排出するための第１排出口（４２）と、前記第１排出口から排出された遊技球を前記賞球箱に排出するための第２排出口（４７）と、前記第１排出口から排出された遊技球を前記第２排出口に導く導通路（４３）と、前記下皿に貯留された遊技球を前記賞球箱に排出させるための球排出ボタン（４４）とが設けられ、前記第２排出口は、前記切り欠きが設けられた位置に配置される。
【００４９】
この構成によれば、例えば、下皿４１は、遊技機の左右方向に関して左側に設けられ、切り欠き４６は、中央に設けられる。このため、切り欠き４６を設けても下皿４１の容量を十分に確保することができる。また、下皿４１に貯留された遊技球を切り欠き４６が設けられた位置に導いて、遊技機本体から賞球箱５に排出することができる。これによって、遊技者は、切り欠き４６の下方に山状に形成された遊技球をならし易くなる。
【００５０】
第３の構成では、前記下皿は、前記遊技機の左右方向に関して中央よりも左側または右側に設けられ、前記切り欠きは、前記遊技機の左右方向に関して中央に設けられ、前記球排出ボタンは、前記遊技機の左右方向に関して中央に設けられ、前記第２排出口は、前記遊技機の左右方向に関して、略中央であって、前記下皿と前記球排出ボタンとの間に設けられる。
【００５１】
この構成によれば、切り欠き４６は遊技機１の中央に設けられ、下皿４１は左側または右側に設けられる。また、球排出ボタン４４は、前記遊技機の左右方向に関して中央に設けられる。第２排出口４５は、遊技機の左右方向に関して略中央であって、下皿４１と球排出ボタン４４との間に設けられる。これにより、下皿４１に貯留された遊技球を切り欠き４６が設けられた中央部分に導いて、遊技機本体の略中央から賞球箱５に排出することができる。また、下皿４１に貯留された遊技球が賞球箱５に排出された場合に、球排出ボタン４４のほぼ真下に遊技球が落下して、球排出ボタン４４のほぼ真下に山状に遊技球がたまるため、遊技者は、より遊技球をならし易くなる。
【００５２】
また、第４の構成では、前記下皿は、前記遊技機の左右方向に関して中央よりも左側に設けられ、前記球排出ボタンは、前記遊技機の左右方向に関して中央に設けられ、前記第２排出口は、前記下皿よりも右側、かつ、前記球排出ボタンよりも左側に設けられる。
【００５３】
この構成によれば、下皿４１は遊技機の左側に配置され、切り欠き４６は遊技機の中央に配置されるため、遊技者は、右手でハンドル３１を持ちながら、左手で下皿４１内の遊技球をつかんだりならしたりし易くなる。
【００５４】
また、第５の構成では、前記球排出ボタンは、前記切り欠きの上端に設けられる。
【００５５】
この構成によれば、切り欠き４６の上端に球排出ボタン４４が設けられるため、遊技者は球排出ボタン４４を押し易い。すなわち、遊技者は、切り欠き４６内に手を挿入しつつ、球排出ボタン４４を押すことができる。
【００５６】
また、第６の構成では、遊技者からの入力を受け付けるための所定方向に可動する演出ボタン（３６）をさらに備え、前記突出部には、前記演出ボタンを含むボタンユニット（３６０）が収納され、前記切り欠きは、前記突出部に、遊技者側から遊技機本体に向かって下降する傾斜部（４７）が形成されることによって設けられ、前記演出ボタンは、当該演出ボタンの可動方向が前記切り欠きの傾斜と略平行になるように、設けられてもよい。
【００５７】
この構成によれば、切り欠き４６は、突出部４に、遊技者から遊技機本体に向かって斜め下方に傾斜する傾斜部が形成されることによって、設けられる。また、演出ボタンの可動方向と切り欠き４６の傾斜とは、略平行になる。これにより、所定方向に飛び出す演出ボタン３６を含むボタンユニット３６０を突出部４に収納し、突出部４に切り欠き４６を設けた場合でも、演出ボタン３６のボタンユニット３６０と傾斜面４７とが干渉することがない。
【００５８】
以上、本発明の実施形態について説明したが、上述の説明はあらゆる点において本発明の一例にすぎず、その範囲を限定しようとするものではない。また、本発明の範囲を逸脱することなく上記各実施形態を適宜組み合わせることや種々の改良を行うことができることはいうまでもない。
【符号の説明】
【００５９】
１    パチンコ遊技機
２    遊技盤
３    枠部材
２０    遊技領域
２０１    第１始動口
２０２    第２始動口
２０３    大入賞口
２０４    普通入賞口
２０５    ゲート
２０６    排出口
２０７    電動チューリップ
２０８    液晶表示器
２０９    盤ランプ
２１０    可動役物
２１１    表示器
３１    ハンドル
３２    レバー
３３    スピーカ
３４    枠ランプ
３５    取り出しボタン
３６    演出ボタン
３６０  ボタンユニット
３６１  カバー
３７    上皿
３８    余剰球口
４    突出部
４１    下皿
４２    第１排出口
４３    導通路
４４    球排出ボタン
４５    第２排出口
４６    切り欠き
４７    傾斜面
５    賞球箱
【図１】
0005302999.tif 000002
【図２】
0005302999.tif 000003
【図３】
0005302999.tif 000004
【図４】
0005302999.tif 000005
【図５】
0005302999.tif 000006
【図６】
0005302999.tif 000007
【図７】
0005302999.tif 000008